(57)【要約】      （修正有） 【課題】動力を提供して、電子製品内の構成要素（例えば、レンズアセンブリ）を駆動して移動させるように配置する駆動アセンブリを提供する。【解決手段】固定部１１、光軸の方向に沿って固定部１１に相対して移動するように配置される可動部１３、駆動磁石ユニット１２、駆動磁石ユニット１２との間で生成された磁力によって、可動部１３が光軸に沿って固定部１１に相対して移動されるコイル１４、および駆動磁石ユニット１２との間で生成された磁力によって、可動部１３の振動が抑制される焦点防振磁性体１６を含む。【選択図】図１
0003206888.tif 000002
【実用新案登録請求の範囲】
【請求項１】
固定部、
光軸の方向に沿って前記固定部に相対して移動するように配置される可動部、
駆動磁石ユニット、
前記駆動磁石ユニットとの間で生成された磁力によって、前記可動部が前記光軸に沿って前記固定部に相対して移動されるコイル、および
前記駆動磁石ユニットとの間で生成された磁力によって、前記可動部の振動が抑制される焦点防振磁性体、
を含む駆動アセンブリ。
【請求項２】
前記駆動磁石ユニットは、前記固定部に設置され、前記コイルと前記焦点防振磁性体は、前記駆動磁石ユニットに対向し、前記可動部に設置される請求項１に記載の駆動アセンブリ。
【請求項３】
前記駆動磁石ユニットは、前記可動部に設置され、前記コイルと前記焦点防振磁性体は、前記駆動磁石ユニットに対向し、前記固定部に設置される請求項１に記載の駆動アセンブリ。
【請求項４】
前記駆動磁石ユニットは、前記可動部の周方向で前記焦点防振磁性体と対向する請求項１に記載の駆動アセンブリ。
【請求項５】
前記コイルは、前記光軸に垂直な方向から見て前記焦点防振磁性体からオフセットされて配置される請求項１に記載の駆動アセンブリ。
【請求項６】
前記駆動磁石ユニットは、
第１の方向で前記コイルと対向して配置された第１の駆動磁石、および
前記第１の方向とは異なる第２の方向で前記コイルと対向して配置される第２の駆動磁石、
を含む請求項１に記載の駆動アセンブリ。
【請求項７】
前記焦点防振磁性体および前記コイルと共に前記可動部に設置されるセンシングマグネット、および
前記駆動磁石ユニットと共に前記固定部に設置され、且つ前記センシングマグネットと対向して配置されるホールセンサを更に含む請求項１に記載の駆動アセンブリ。
【請求項８】
もう１つの前記焦点防振磁性体ともう１つの前記センシングマグネットを更に含み、前記２つの焦点防振磁性体は、前記可動部に対角に設置され、且つ前記２つのセンシングマグネットは、前記可動部に対角に設置される請求項７に記載の駆動アセンブリ。
【請求項９】
請求項１に記載の駆動アセンブリ、
前記可動部に設置されたレンズアセンブリ、および
前記レンズアセンブリを通過する光線を受けるように配置された光学センサを含む電子装置。
【請求項１０】
請求項１に記載の駆動アセンブリ、
ベースアセンブリ、
ＯＩＳ駆動磁石、
前記駆動アセンブリが、前記ＯＩＳ駆動磁石との間で生成された磁力によって、前記光軸に垂直な方向に沿って前記ベースアセンブリに対して移動されるＯＩＳ駆動コイル、および
前記駆動アセンブリの振動が、前記ＯＩＳ駆動磁石との間で生成された磁力によって抑制されるＯＩＳ防振磁性体、
を含む電磁駆動モジュール。
【考案の詳細な説明】
【技術分野】
【０００１】
本考案は、駆動モジュールおよびそれを用いた電子装置に関し、特に、電磁効果を用いて機械エネルギーを生成する駆動アセンブリおよび    およびそれを用いた電子装置に関するものである。
【背景技術】
【０００２】
電子装置は、通常構成要素を駆動して一定の距離を移動させる駆動モジュールを配置している。例えば、画像取込機能を有する電子装置は、通常、駆動モジュールを含んで１つ以上の光学レンズユニットを駆動し、光軸に沿って移動させ、オートフォーカスとオートズームの機能を達成する。
【０００３】
しかしながら、従来の駆動モジュールは、高コストの精密な駆動素子を、構成要素を駆動させる動力源（例えば、ステッパモータ、超音波モータ、圧電アクチュエータなど）として、かなり多くの伝動要素を用いている。これは、機械の構造を複雑にするだけでなく、組み立てのステップが容易でない、体積が大きい、製造コストが高い、且つ消費電力が大きいなどの欠点を有し、価格を下げることができなくなる。
【０００４】
従って、小型、且つ簡単な構造の利点のある駆動モジュールが、当業者の進める研究開発の対象となっている。
【考案の概要】
【考案が解決しようとする課題】
【０００５】
これに鑑み、本考案の１つの課題は、動力を提供して、電子製品内の構成要素（例えば、レンズアセンブリ）を駆動して移動させるように配置する駆動アセンブリを提供する。
【課題を解決するための手段】
【０００６】
本考案の実施形態に基づいて、駆動アセンブリは、固定部、可動部、駆動磁石ユニット、コイル、および焦点防振磁性体を含む。可動部は、光軸の方向に沿って固定部に相対して移動されるように配置される。可動部は、コイルと駆動磁石ユニット間で生成された磁力によって、光軸に沿って固定部に相対して移動される。可動部の振動は、防振磁性体と駆動磁石ユニット間で生成された磁力によって、抑制される。
【０００７】
上述の実施形態では、駆動磁石ユニットは、固定部に設置され、コイルと焦点防振磁性体は、駆動磁石ユニットと対向し、可動部に設置される。
【０００８】
上述の実施形態では、駆動磁石ユニットは、可動部に設置され、コイルと焦点防振磁性体は、駆動磁石ユニットと対向し、固定部に設置される。
【０００９】
上述の実施形態では、駆動磁石ユニットは、可動部の周方向で焦点防振磁性体と対向する。
【００１０】
上述の実施形態では、コイルと焦点防振磁性体は、光軸に垂直な方向で互いにオフセットして配置される。
【００１１】
上述の実施形態では、駆動磁石ユニットは、第１の駆動磁石、および第２の駆動磁石を含む。第１の駆動磁石は、第１の方向でコイルと対向して配置され、且つ第２の駆動磁石は、第１の方向とは異なる第２の方向でコイルと対向して配置される。
【００１２】
上述の実施形態では、駆動アセンブリは、センシングマグネット、およびホールセンサを更に含む。センシングマグネット、焦点防振磁性体とコイルは、可動部に共同して設置される。ホールセンサと駆動磁石ユニットは、固定部に共同して設置され、且つセンシングマグネットは、ホールセンサと対向して配置される。
【００１３】
上述の実施形態では、駆動アセンブリは、もう１つの焦点防振磁性体ともう１つのセンシングマグネットを更に含む。２つの焦点防振磁性体は、可動部に対角に設置され、且つ２つのセンシングマグネットは、可動部に対角に設置される。
【００１４】
本考案のもう１つの目的は、電子装置を提供することである。電子装置は、上述の任意の実施形態で述べた駆動アセンブリおよび駆動アセンブリ内に設置されたレンズアセンブリを含む。駆動アセンブリは、レンズアセンブリの位置を移動させ、オートフォーカスおよび／またはズームの機能を達成する。
【００１５】
本考案のもう１つの目的は、電磁駆動モジュールを提供することである。電磁駆動モジュールは、上述の任意の実施形態で述べた駆動アセンブリ、およびベースアセンブリ、ＯＩＳ駆動磁石、ＯＩＳ駆動コイルと、ＯＩＳ防振磁性体を含む。駆動アセンブリは、ＯＩＳ駆動コイルとＯＩＳ駆動磁石間で生成された磁力によって、光軸に垂直な方向に沿ってベースアセンブリに相対して移動される。駆動アセンブリの振動は、ＯＩＳ防振磁性体とＯＩＳ駆動磁石間で生成された磁力によって抑制される。
【図面の簡単な説明】
【００１６】
【図１】本考案の第１の実施形態に係る、駆動アセンブリの概略図を示している。
【図２】図１のラインＡ−Ａ’に沿った断面図を示している。
【図３】図１のラインＢ−Ｂ’に沿った断面図を示している。
【図４】本考案の１つの実施形態に係る、電子装置の概略図を示している。
【図５】本考案の第２の実施形態に係る、駆動アセンブリの概略図を示している。
【図６】本考案の第３の実施形態に係る、駆動アセンブリの概略図を示している。
【図７】本考案の第３の実施形態に係る、駆動アセンブリの概略図を示している。
【考案を実施するための形態】
【００１７】
以下の考案を実施するための形態で説明された特定の構成要素および構造は、本考案を明瞭に説明するために記述されている。しかしながら、本明細書で記述される例示的な実施形態は、単に説明のために用いられることは明らかであり、考案の概念は、これらの例示的な実施形態に限定されることなく、種々の形態で実施することができる。
【００１８】
本考案の図面の構成要素または装置は、当業者に公知のどんな形式または構成にも存在することができるということが留意されるべきである。また、「もう１つの層を覆う（ｏｖｅｒｌｙｉｎｇ）層」、「層はもう１つの層の上方（ａｂｏｖｅ）に配置される」、「層はもう１つの層上（ｏｎ）に配置される」、および「層はもう１つの層の上方（ｏｖｅｒ）に配置される」などの表現は、層がもう１つの層と直接接触することを指すだけでなく、層がもう１つの層とは直接接触せず、層ともう１つの層との間に配置された１つ以上の中間層があることも指すことができる。
【００１９】
また、この明細書では、関連する表現が用いられる。例えば、「より低い」、「底部」、「より高い」、または「上部」は、もう１つに対する１つの構成要素の位置を説明するのに用いられる。仮に装置が上下反転された場合、「より低い」側の構成要素は、「より高い」側の構成要素となる、ということが了解されるべきである。
【００２０】
用語「約」および「大抵」は、一般的に、所定値の＋／−２０％を意味し、より一般的に、所定値の＋／−１０％を意味し、さらにより一般的に、所定値の＋／−５％を意味する。本考案の所定値は、近似値である。特定の説明がないとき、所定値は、「約」または「大抵」の意味を含む。
【００２１】
図１〜図３に示すように、図１は、本考案の第１の実施形態の駆動アセンブリ１０の平面概略図を示しており、図２は、図１のラインＡ−Ａ’に沿った断面図を示しており、図３は、図１のラインＢ−Ｂ’に沿った断面図を示している。この実施形態では、駆動アセンブリ１０は、ボイスコイルアクチュエータ（ＶＣＡ）であり、固定部１１、可動部１３、駆動磁石ユニット１２、コイル１４、上部弾性シート１５（図２）、２つの焦点防振磁性体１６、下部弾性シート１７（図２）、センシングマグネット（ｐｏｓｉｔｉｏｎｉｎｇ ｍａｇｎｅｔ）１８、および２つのホールセンサ１９を含む。駆動アセンブリ１０の構成要素は、増加または減少することができ、これに限定されるものではない。
【００２２】
この実施形態では、固定部１１は、上部ハウジング部材１１５（図２）、下部ハウジング部材１１６（図２）、および１つ以上の側部ハウジング部材を含む。上部ハウジング部材１１５と下部ハウジング部材１１６は、主軸Ｍに沿って、互いに対向して配置される。１つ以上の側部ハウジング部材は、上部ハウジング部材１１５から下部ハウジング部材１１６に向けて延伸する。例えば、図１に示されるように、固定部１１は、複数の側部ハウジング部材１１１、１１２、１１３、および１１４を含み、各々上部ハウジング部材１１５から下部ハウジング部材１１６に向けて延伸する。側部ハウジング部材１１１、１１２、１１３、および１１４は順次に連接しており、その中の側部ハウジング部材１１１と１１３が互いに対向し、側部ハウジング部材１１２と１１４が互いに対向している。側部ハウジング部材１１１、１１２、１１３、および１１４は、個別に製造され、適切な方法によって組み立てられる。また、側部ハウジング部材１１１、１１２、１１３、および１１４は、一体成型の方式を用いて製造されてもよい。いくつかの図示されていない実施形態では、固定部１１は、円筒形の側部ハウジング部材を含む。
【００２３】
この実施形態では、図２に示されるように、上部ハウジング部材１１５と下部ハウジング部材１１６は、それぞれ開口を定義し、前記２つの開口は主軸Ｍと位置合わせされる。また、下部ハウジング部材１１６は、外向きに延伸する延伸部１１６１を含む。
【００２４】
この実施形態では、駆動磁石ユニット１２は、２つの第１の駆動磁石１２１、および２つの第２の駆動磁石１２２を含む。２つの第１の駆動磁石１２１は、２つの側部ハウジング部材１１２と１１４上にそれぞれ設置され、２つの第２の駆動磁石１２２は、２つの側部ハウジング部材１１１と１１３にそれぞれ設置される。図２に示されるように、２つの第２の駆動磁石１２２は、固定部１１に対角に設置される。
【００２５】
第１の駆動磁石１２１は、第２の駆動磁石１２２と同じであってもよい。または、第１の駆動磁石１２１は、第２の駆動磁石１２２と異なっていてもよい。例えば、第１の駆動磁石１２１の磁場は、第２の駆動磁石１２２で生成された磁場より大きくてもよく、または小さくてもよい。いくつかの実施形態では、固定部１１は、磁気吸着の物質でできており、駆動磁石ユニット１２は、固定部１１の側部ハウジング部材の内表面上に直接吸着される。
【００２６】
しかしながら、留意すべきことは、第１の駆動磁石１２１と第２の駆動磁石１２２の設置の位置は、この実施形態に限定されるものではないことである。第１の駆動磁石１２１と第２の駆動磁石１２２の設置の位置は、可動部１３が第１の駆動磁石１２１と第２の駆動磁石１２２で生成された磁力を受けて安定して移動することができれば、変えることができる。いくつかの図示されていない実施形態では、２つの第２の駆動磁石１２２は、省略して設置される。
【００２７】
この実施形態では、可動部１３は、主軸Ｍに沿って延伸したチャネル１３５で貫通され、例えば、レンズアセンブリ（図１に図示していない）などの構成要素を実装するように配置される。いくつかの実施形態では、可動部１３は、チャネル１３５の周囲を囲む、１つ以上の側面を含む。例えば、図１に示されるように、可動部１３は、例えば、第１の側面１３１、第２の側面１３２、第３の側面１３３、および第４の側面１３４の複数の側面を含む。
【００２８】
第１の側面１３１は、第３の側面１３３と対向し、第２の側面１３２は、第４の側面１３４と対向する。この実施形態では、第１の側面１３１は、側部ハウジング部材１１１に対向し、第２の側面１３２は、側部ハウジング部材１１２に対向し、且つ第３の側面１３３は、側部ハウジング部材１１３に対向し、且つ第４の側面１３４は、側部ハウジング部材１１４に対向する。しかしながら、留意すべきことは、可動部１３の態様は上述の実施形態に限定されるべきではないことである。いくつかの図示されていない実施形態では、可動部１３は、円筒状の外表面を有する側面を含む。
【００２９】
図１に示されるように、第１の側面１３１と第３の側面１３３は、センシングマグネット１８を収容する凹部をそれぞれ含み、その中の２つの凹部は、第１の側面１３１と第３の側面１３３とに、対角に配置される。また、第２の側面１３２と第４の側面１３４は、焦点防振磁性体１６を収容する凹部を含み、その中の２つの凹部は、第２の側面１３２と第４の側面１３４とに、対角に配置される。
【００３０】
この実施形態では、コイル１４は、可動部１３の外側を囲む。コイル１４は、主軸Ｍに垂直な第１の方向（Ｘ軸に平行な方向）で、２つの第１の駆動磁石１２１に対向して配置される。また、コイル１４は、主軸Ｍに垂直な第２の方向（Ｙ軸に平行な方向）で、２つの第２の駆動磁石１２２に対向して配置される。コイル１４に電流を流すことにより、コイル１４と駆動磁石ユニット１２による磁力が生じるため、可動部１３は、対向して配置される固定部１１に対して、主軸Ｍに平行な方向（Ｚ方向）に沿って移動される。
【００３１】
この実施形態では、２つの焦点防振磁性体１６は、第１の側面１３１と第３の側面１３３の凹部内にそれぞれ設置される。従って、２つの焦点防振磁性体１６の中の１つは、第１の側面１３１の位置に隣接する第２の側面１３２に設置される。また、２つの焦点防振磁性体１６のもう１つは、第３の側面１３３の位置に隣接する第４の側面１３４に設置される。即ち、２つの焦点防振磁性体１６は、可動部１３の上に対角に設置される。
【００３２】
また、２つの焦点防振磁性体１６は、主軸Ｍに垂直（即ち、Ｘ軸に平行）な第１の方向において、２つの第１の駆動磁石１２１に対向して配置される。この実施形態では、２つの焦点防振磁性体１６は、コイル１４よりも第１の駆動磁石１２１から離れており、且つ２つの焦点防振磁性体１６は、コイル１４によってカバーされる。各２つの焦点防振磁性体１６は、鉄、ニッケル、クロム、コバルト、またはカドミウムなどの磁性金属、または、対向する第１の駆動磁石１２１で生じる磁場によって吸引される任意の材料で作製することができる。
【００３３】
図２に示すように、上部弾性シート１５と下部弾性シート１７は、可動部１３を実装するように配置され、可動部１３が主軸Ｍに平行な方向（Ｚ方向）に沿って移動できる方式で、固定部１１内に可動部１３を掛けて設置する。いくつかの実施形態では、上部弾性シート１５は、上部ハウジング部材１１５の近傍に固定され、且つ下部弾性シート１７は、下部ハウジング部材１１６の近傍に固定される。
【００３４】
この実施形態では、図１に示されるように、２つのホールセンサ１９の中の１つは、側部ハウジング部材１１２の位置に隣接する側部ハウジング部材１１１に設置され、２つのホールセンサ１９の中のもう１つは、側部ハウジング部材１１４の位置に隣接する側部ハウジング部材１１３に設置される。即ち、２つのホールセンサ１９は、固定部１１の上に対角に設置される。２つのセンシングマグネット１８は、主軸Ｍに垂直な方向で２つのホールセンサ１９と対向して配置される。ホールセンサ１９は、２つのセンシングマグネット１８の磁場の変化を感知することによって、２つのセンシングマグネット１８の位置を判断するため、可動部１３の位置を検出する目的を達成する。
【００３５】
この実施形態では、可動部１３が動いたとき、図１の矢印に示された方向Ｒの振動を生じる可能性がある。しかしながら、２つの第１の駆動磁石１２１は、２つの焦点防振磁性体１６を吸引する磁力を提供するため、可動部１３の振動が抑制される。また、可動部１３の振動が抑制されるため、ホールセンサ１９が検出した信号の精度は、更に向上する。
【００３６】
上述の配置によって、駆動アセンブリ１０が動作しているとき、コイル１４と、第１の駆動磁石１２１、第２の駆動磁石１２２との間で生成された磁力は、可動部１３を主軸Ｍに平行な方向（Ｚ方向）に沿って安定して移動させることができる。従って、可動部１３の制御精度が向上することができる。また、可動部１３の移動の過程では、２つの第１の駆動磁石１２１で生成された磁力は、２つの焦点防振磁性体１６を持続的に吸引し、可動部１３の移動により生じた共振が抑制される。
【００３７】
図４に示すように、図４は、本考案の実施例の電子装置１の断面概略図を示している。この実施形態では、電子装置１は、例えば、電磁駆動モジュール３、レンズアセンブリ５、および光学センサ７を含む撮影装置である。電磁駆動モジュール３は、レンズアセンブリ５と光学センサ７との間の距離を調整するように配置され、オートフォーカスおよび／またはズームの機能を達成する。
【００３８】
この実施形態では、電磁駆動モジュール３は、駆動アセンブリ１０、ベースアセンブリ２０、２つの光学式手振れ補正（ｏｐｔｉｃａｌ ｉｍａｇｅ ｓｔａｂｉｌｉｚｅｒ； ＯＩＳ）駆動コイル３１、２つのＯＩＳ駆動磁石３２、および２つのＯＩＳ防振磁性体３３を含む。電磁駆動モジュール３の構成要素は、適切に増加または減少することができ、これに限定されるものではない。
【００３９】
ベースアセンブリ２０は、側部フレーム部材２１、上部フレーム部材２２、下部フレーム部材２３、およびフリンジ２４を含む。上部フレーム部材２２は、主軸Ｍと位置合わせされた開口を定義する。側部フレーム部材２１は、上部フレーム部材２２から下部フレーム部材２３に向けて延伸する。フリンジ２４は、側部フレーム部材２１から内側に延伸し、主軸Ｍと位置合わせされた開口を定義する。駆動アセンブリ１０は、主軸Ｍと位置合わせされ、ベースアセンブリ２０の側部フレーム部材２１、上部フレーム部材２２、およびフリンジ２４によって定義された空間内に配置される。その中の駆動アセンブリ１０の延伸部１１６１は、接続線２５によって上部フレーム部材２２に接続され、掛ける方式でベースアセンブリ２０内に設置される。レンズアセンブリ５は、駆動アセンブリ１０のチャネル１３５内に設置される。光学センサ７は、主軸Ｍと位置合わせされ、下部フレーム部材２３に設置される。光学センサ７は、例えば、相補型金属酸化膜半導体（ＣＭＯＳ）センサであり、レンズアセンブリ５を通過する光線を受光し、画像信号を生成する。
【００４０】
この実施形態では、２つのＯＩＳ駆動磁石３２は、駆動アセンブリ１０の下部ハウジング部材１１６の底面にそれぞれ配置される。２つのＯＩＳ駆動コイル３１は、２つのＯＩＳ駆動磁石３２と相対し、フリンジ２４上にそれぞれ設置される。２つのＯＩＳ駆動コイル３１は、電流を通過させて、磁場を生成し、駆動アセンブリ１０をベースアセンブリ２０と相対させてそれぞれ配置し、主軸Ｍに垂直な方向に沿って移動させる。２つのＯＩＳ防振磁性体３３は、２つのＯＩＳ駆動磁石３２に相対し、フリンジ２４上にそれぞれ設置される。２つのＯＩＳ防振磁性体３３は、鉄、ニッケル、クロム、コバルト、またはカドミウムなどの磁性金属、または２つのＯＩＳ駆動磁石３２で吸引されることができる任意の材料であることができる。ＯＩＳ駆動コイル３１は、ＯＩＳ防振磁性体３３にオフセットして配置される。全体的に見ると、同じＯＩＳ駆動磁石３２に対向するＯＩＳ駆動コイル３１とＯＩＳ防振磁性体３３について言うと、ＯＩＳ駆動コイル３１とＯＩＳ防振磁性体３３は、互いに重なり合わない。
【００４１】
上述の配置によって、電子装置１が動作しているとき、主軸Ｍに平行な方向（Ｚ方向）上で光学センサ７と相対するレンズアセンブリ５の相対位置は、駆動アセンブリ１０によって調整してオートフォーカスとオートズームの目的を達成することができる。また、駆動アセンブリ１０は、２つのＯＩＳ駆動コイル３１と２つのＯＩＳ駆動磁石３２間で生成された磁力によって、電子装置１が撮った影像に対して、外力による振動で生じる好ましくない影響を防ぐことができる。また、２つのＯＩＳ駆動コイル３１と２つのＯＩＳ駆動磁石３２が互いに吸引（または反発）する過程では、２つのＯＩＳ駆動磁石３２で生成された磁力は、２つのＯＩＳ防振磁性体３３を持続的に吸引するため、駆動アセンブリ１０が運動により生じた共振が抑制される。
【００４２】
留意すべきことは、上述の実施形態では、ＯＩＳ駆動コイル３１とＯＩＳ防振磁性体３３は、単一のＯＩＳ駆動磁石３２が生成した磁力を受けて吸引または反発するが、本考案はこれを限定するものではない。もう１つの実施形態では、ＯＩＳ駆動コイル３１とＯＩＳ防振磁性体３３は、ＯＩＳ駆動磁石にそれぞれ対応する。
【００４３】
本考案の駆動アセンブリ１０の態様は、上述の実施形態の内容に限定されるものではなく、以下模範的に提示された複数の駆動アセンブリも実施態様であることができる。
【００４４】
図５は、本考案の第２の実施形態の駆動アセンブリ１０ｂの断面概略図を示している。この実施形態では、図２に示された実施例と同一または類似の構成要素は、同じ参照番号によって示されており、その特徴は、簡略化のため、ここでは再度説明しない。駆動アセンブリ１０ｂと駆動アセンブリ１０の違いは、駆動アセンブリ１０の可動部１３とコイル１４が可動部１３ｂとコイル１４ｂに置き換えられることである。また、駆動アセンブリ１０ｂは、複数の焦点防振磁性体（例えば、２つの焦点防振磁性体１６ｂ１と２つの焦点防振磁性体１６ｂ２）を含む。
【００４５】
図２の可動部１３と比較すると、可動部１３ｂは、焦点防振磁性体を収容する凹部の設置を更に省いている。コイル１４ｂは、可動部１３ｂの外側を囲み、且つ主軸Ｍに垂直な第１の方向（Ｘ軸に平行な方向）で２つの第１の駆動磁石１２１と対向して配置される。２つの焦点防振磁性体１６ｂ１は、第２の側面１３２ｂに設置され、且つ主軸Ｍに垂直な第２の方向（Ｘ軸に平行な方向）で側部ハウジング部材１１２に配置された第１の駆動磁石１２１と対向して配置され、その中の２つの焦点防振磁性体１６ｂ１は、コイル１４の上側と下側にそれぞれ配置される。
【００４６】
また、２つの焦点防振磁性体１６ｂ２は、第４の側面１３４ｂに設置され、且つ、側部ハウジング部材１１４に配置された第１の駆動磁石１２１と、主軸Ｍに垂直な第２の方向（Ｘ軸に平行な方向）で対向して配置され、その中の２つの焦点防振磁性体１６ｂ２は、コイル１４ｂの上側と下側にそれぞれ配置される。全体的に見ると、焦点防振磁性体１６ｂ１とコイル１４ｂは、主軸Ｍに垂直な方向から見て、互いにオフセットして配置され、且つ焦点防振磁性体１６ｂ２とコイル１４ｂは、主軸Ｍに垂直な方向から見て、互いにオフセットして配置される。図示されていない実施形態では、可動部１３の第１の側面と第２の側面は、焦点防振磁性体と第２の駆動磁石１２２に対向して配置されることができる。
【００４７】
図６〜図７は、本考案の第３の実施形態の駆動アセンブリ１０ｃの概略図を示している。この実施形態では、図２〜図３に示された実施例と同一または類似の構成要素は、同じ参照番号によって示されており、その特徴は、簡略化のため、ここでは再度説明しない。駆動アセンブリ１０ｃと駆動アセンブリ１０の違いは、駆動アセンブリ１０の固定部１１と可動部１３が固定部１１ｃと可動部１３ｃに置き換えられることである。また、固定部１１と比較すると、固定部１１ｃは、焦点防振磁性体１６とセンシングマグネット１８を収容する凹部を増加している。また、可動部１３と比較すると、可動部１３ｃは、焦点防振磁性体を収容する凹部の設置を省いている。
【００４８】
駆動磁石ユニット１２とホールセンサ１９は、可動部１３ｃ上に設置され、且つコイル１４は、固定部１１ｃの内壁に設置される。また、２つの焦点防振磁性体１６（図７は、１つの焦点防振磁性体１６だけを示している）は、側部ハウジング部材１１２ｃと１１４ｃの内壁面の凹部内に設置され、２つの第１の駆動磁石１２１と対向するように配置されている。また、２つのセンシングマグネット１８（図７は、１つのセンシングマグネット１８と１つのホールセンサ１９だけを示している）は、側部ハウジング部材１１１ｃと１１３ｃの内壁面の凹部内に設置され、２つのホールセンサ１９と対向するように配置されている。
【００４９】
本考案の駆動アセンブリは、磁力を用いて、２つの構成要素間の運動で生じた振動を抑制する。２つの構成要素の間にゲル物質を配置する必要がないため、生産組み立てのステップは、簡易化され、生産コストの支出を減少することができる。
【００５０】
本考案は、実施例の方法及び望ましい実施の形態によって記述されているが、本考案は開示された実施形態に限定されるものではない。逆に、当業者には自明の種々の変更及び同様の配置をカバーするものである。よって、添付の請求の範囲は、最も広義な解釈が与えられ、全てのこのような変更及び同様の配置を含むべきである。
【符号の説明】
【００５１】
１  電子装置
３  電磁駆動モジュール
５  レンズアセンブリ
７  光学センサ７
１０、１０ｂ、１０ｃ  駆動アセンブリ
１１  固定部
１１１、１１２、１１３、１１４  側部ハウジング部材
１１５  上部ハウジング部材
１１６  下部ハウジング部材
１１６１  延伸部
１２  駆動磁石ユニット
１２１  第１の駆動磁石
１２２  第２の駆動磁石
１３  可動部
１３１  第１の側面
１３２  第２の側面
１３３  第３の側面
１３４  第４の側面
１３５  チャネル
１４  コイル
１５  上部弾性シート
１６、１６ｂ１、１６ｂ２  焦点防振磁性体
１７  下部弾性シート
１８  センシングマグネット
１９  ホールセンサ
２０  ベースアセンブリ
２１  側部フレーム部材
２２  上部フレーム部材
２３  下部フレーム部材
２４  フリンジ
２５  接続線
３１  ＯＩＳ駆動コイル
３２  ＯＩＳ駆動磁石
３３  ＯＩＳ防振磁性体
Ｍ  主軸
Ｒ  方向
【図１】
0003206888.tif 000003
【図２】
0003206888.tif 000004
【図３】
0003206888.tif 000005
【図４】
0003206888.tif 000006
【図５】
0003206888.tif 000007
【図６】
0003206888.tif 000008
【図７】
0003206888.tif 000009